【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
生物学的被験体において少なくとも１つのインピーダンス測定を実行するためのシステムであって、前記システムが、
ａ）測定デバイスを含み、
前記測定デバイスが、
ｉ）駆動信号を発生させる少なくとも１つの信号発生器と、
ｉｉ）反応信号を測定する少なくとも１つのセンサと、
ｉｉｉ）前記少なくとも１つの信号発生器を少なくとも部分的に制御し、前記少なくとも１つのセンサからの測定された反応信号の指標を受け取り、少なくとも１つのインピーダンス測定の実行を可能にする測定デバイスプロセッサと、
ｉｖ）前記少なくとも１つのセンサ及び前記少なくとも１つの信号発生器と電気的に接続された第１のコネクタと、を含み、
前記システムがさらに、
ｂ）接続モジュールを含み、
前記接続モジュールが、
ｉ）接続モジュール筐体と、
ｉｉ）使用時に前記被験体と電気的に接触するように設けられた電極と、
ｉｉｉ）前記電極と電気的に接続された第２のコネクタと、を含み、
使用時に、前記測定デバイスが前記第１及び第２のコネクタを相互接続することによって前記接続モジュールに接続され、第１の電極が前記少なくとも１つの信号発生器に電気的に接続され、第２の電極が前記少なくとも１つのセンサに電気的に接続され、それにより、駆動信号を前記第１の電極を介して前記被験体に印加することが可能になり、前記反応信号を前記第２の電極を介して測定することが可能になり、それによって、前記少なくとも１つのインピーダンス測定の実行が可能になる、システム。
【請求項２】
前記接続モジュールが第１及び第２の筐体を含み、
前記第１の筐体が、足の駆動電極及び感知電極の離隔された対を含み、前記第２の筐体が、手の駆動電極及び感知電極の離隔された対を含み、
前記駆動電極及び感知電極が、離隔された金属プレートである、請求項１に記載のシステム。
【請求項３】
前記第１の筐体が、足の駆動電極及び感知電極の各対の周囲に少なくとも部分的に延設する隆起したへり部分を含み、それによって使用時に被験体の足の前記足の駆動電極及び感知電極に対する位置決めを案内し、
前記隆起したへり部分が、使用者の少なくともかかとに当たるように構成された、請求項２に記載のシステム。
【請求項４】
前記第２の筐体が、使用者の手の形状に少なくとも部分的に適合するような形状であり、
前記第２の筐体が、手の駆動電極及び感知電極の各対の間に隆起した部分を含み、前記隆起した部分が、親指の凹部を画定し、それによって使用時に被験体の手の前記手の駆動電極及び感知電極の各対に対する位置決めを案内する、請求項２または３に記載のシステム。
【請求項５】
前記第２の筐体が、使用時に処理システムを収容する支持部を受容する処理システム取り付け部を含む、請求項２から４のいずれか一項に記載のシステム。
【請求項６】
前記第１及び第２の筐体の少なくとも１つが、前記第１及び第２の筐体の少なくとも１つを取り外し可能に台に取り付けることを可能にする鍵穴型取り付け部を含む、請求項２から５のいずれか一項に記載のシステム。
【請求項７】
前記測定デバイスが、前記測定デバイスプロセッサを、有線及び無線通信の少なくとも１つを使用して、処理システムと通信することを可能にするインターフェースを含み、
ａ）前記処理システムが、
ｉ）少なくとも１つの実行されるインピーダンス測定を決定すること、
ｉｉ）前記測定デバイスに、前記少なくとも１つのインピーダンス測定を実行させること、及び
ｉｉｉ）前記測定デバイスから少なくとも１つのインピーダンス値の指標を受信し、前記少なくとも１つのインピーダンス値が測定されたインピーダンスを表すこと、
を行い、
ｂ）前記測定デバイスプロセッサが、
ｉ）前記少なくとも１つの実行されるインピーダンス測定を決定すること、及び
ｉｉ）少なくとも１つのインピーダンス値の指標を前記処理システムに提供すること、
の少なくとも１つを行うように前記処理システムと通信する、請求項１から６のいずれか一項に記載のシステム。
【請求項８】
前記処理システムが、前記被験体の生物学的状態を示す少なくとも１つの指標を決定するために、前記少なくとも１つのインピーダンス測定を処理する、請求項７に記載のシステム。
【請求項９】
前記処理システムが、使用者が
ａ）少なくとも１つの実行されるインピーダンス測定を選択すること、
ｂ）実行されるインピーダンス測定プロセスであって、前記インピーダンス測定プロセスが一連のインピーダンス測定を含む、インピーダンス測定プロセスを選択すること、
ｃ）少なくとも１つのインピーダンス測定を示すこと、及び
ｄ）前記被験体の生物学的状態を示す少なくとも１つの指標を示すこと、の少なくとも１つを行えるようにするユーザーインターフェースを表示する、請求項７または８に記載のシステム。
【請求項１０】
前記システムが、
ａ）前記測定デバイスに接続された接続モジュールの、接続モジュールの種類に基づいて、少なくとも１つの実行可能なインピーダンス測定を決定し、
ｂ）前記少なくとも１つの実行可能なインピーダンス測定の指示を使用者に表示し、
ｃ）使用者の入力命令に従って、選択された実行可能なインピーダンス測定を決定し、
ｄ）前記測定デバイスに、前記選択された実行可能なインピーダンス測定を実行させ、
ｅ）測定されたインピーダンスを表す少なくとも１つのインピーダンス値を決定する、処理システムを含む、請求項１から９のいずれか一項に記載のシステム。
【請求項１１】
前記測定デバイスが複数の異なる接続モジュールの種類と共に使用されるように適合され、前記測定デバイスプロセッサが、接続された接続モジュールの、前記接続モジュールの種類に少なくとも部分的に応じて、前記少なくとも１つのインピーダンス測定を実行し、
前記測定デバイスプロセッサが、
ａ）前記接続された接続モジュールの、接続モジュールの種類を決定し、
ｂ）前記決定された接続モジュールの種類に従って、
ｉ）前記少なくとも１つのインピーダンス測定を実行させること、及び
ｉｉ）測定されたインピーダンスを表す少なくとも１つのインピーダンス値を決定するために、測定された反応信号を処理すること、の少なくとも１つを行う、請求項１から１０のいずれか一項に記載のシステム。
【請求項１２】
ａ）前記接続モジュールの種類が、
ｉ）前記第１のコネクタと前記第２のコネクタとの間の接続の構成、
ｉｉ）前記第２のコネクタの構成、及び
ｉｉｉ）前記第２のコネクタに電気的に接続された電気的構成要素の特性、の少なくとも１つを用いて決定されること、
ｂ）前記測定デバイスプロセッサが、
ｉ）前記接続モジュールと関連付けられた識別部を決定し、
ｉｉ）前記識別部を用いて前記接続モジュールの種類を決定すること、並びに、
ｃ）前記接続モジュールがメモリを含み、前記測定デバイスプロセッサが、
ｉ）無線接続、並びに
ｉｉ）前記第１及び第２のコネクタ、
の少なくとも１つを介して前記メモリから前記識別部を読み取ること、
のうち少なくとも１つを行う、請求項１１に記載のシステム。
【請求項１３】
前記接続モジュールがメモリを含み、前記測定デバイスプロセッサが、
ａ）ｉ）無線接続、並びに
ｉｉ）前記第１及び第２のコネクタ、
の少なくとも１つを介して前記メモリから命令を読み取り、
ｂ）前記命令に従って少なくとも１つのインピーダンス測定を実行させる、請求項１から１２のいずれか一項に記載のシステム。
【請求項１４】
前記測定デバイスプロセッサが、
ａ）前記被験体に印加された少なくとも１つの駆動信号の指標と、
ｂ）少なくとも１つの測定された反応信号の指標と、
ｃ）メモリ内に格納された較正データと、を用いて、
少なくとも１つの測定されたインピーダンスを表す少なくとも１つのインピーダンス値を決定し、
以下の、
ｄ）前記較正データが、
ｉ）前記測定デバイスに特有の第１の較正データと、
ｉｉ）前記接続モジュールに特有の第２の較正データと、を含むこと、
ｅ）前記測定デバイスプロセッサが、
ｉ）接続モジュールの種類と、
ｉｉ）接続モジュール識別部と、
の少なくとも１つを少なくとも部分的に用いて前記較正データを決定すること、及び、
ｆ）前記測定デバイスプロセッサが、メモリ内に格納された複数の較正データセットの１つを選択すること、
の少なくとも１つを行う、請求項１から９のいずれか一項に記載のシステム。
【請求項１５】
前記測定デバイスが、
ａ）入力ボタンであって、
ｉ）前記測定デバイスを作動させること、及び
ｉｉ）少なくとも１つのインピーダンス測定を実行させること、
の少なくとも１つを行う入力ボタン、
ｂ）指示器であって、前記測定デバイスプロセッサが、
ｉ）インピーダンス測定の完了、
ｉｉ）インピーダンス測定の実行、
ｉｉｉ）（１）接続モジュール及び、
（２）処理システム
の少なくとも１つへの前記測定デバイスの接続、
の少なくとも１つを示すために前記指示器を使用する、指示器、
の少なくとも１つを含む、請求項１から１４のいずれか一項に記載のシステム。